(57)【要約】【課題】専用キーを設けることなく所望のネットアプリケーションを容易に選択することができるテレビ放送受信機を提供する。【解決手段】テレビ放送受信機の制御部は、ネットアプリケーションのそれぞれを擬似的に「入力対象」及び／又は「受信チャンネル」の選択肢の一つとして処理し、ネットアプリケーションに対応する「入力対象」及び／又は「受信チャンネル」の選択肢が選択されると、選択された「入力対象」及び／又は「受信チャンネル」に対応するネットアプリケーションを立ち上げる。【選択図】図１
2013132010.tif 000002
【特許請求の範囲】
【請求項１】
「入力対象」及び「受信チャンネル」を設定する制御部と、
外部機器が出力する映像ストリームを入力するための入力端子と、
テレビ放送信号に対して、前記制御部によって設定されている前記「入力対象」及び前記「受信チャンネル」に応じた選局処理を行う放送受信部とを備え、
前記「入力対象」の選択肢として、前記入力端子に対応する選択肢および前記放送受信部に対応する選択肢を含む複数の選択肢を有し、
ネットアプリケーションを立ち上げることで、インターネット経由で提供されるサービスを提供することができる映像表示装置であって、
前記制御部は、
前記ネットアプリケーションのそれぞれを擬似的に前記「入力対象」及び／又は前記「受信チャンネル」の選択肢の一つとして処理し、
前記ネットアプリケーションに対応する前記「入力対象」及び／又は前記「受信チャンネル」の選択肢が選択されると、選択された前記「入力対象」及び／又は前記「受信チャンネル」に対応するネットアプリケーションを立ち上げることを特徴とするテレビ放送受信機。
【請求項２】
前記「入力対象」の選択肢の一覧をディスプレイに表示させることができる請求項１に記載のテレビ放送受信機。
【請求項３】
前記ネットアプリケーションに対応する前記「入力対象」の選択肢の並び順を、各ネットアプリケーションの選択頻度に応じて変更する請求項１または請求項２に記載のテレビ放送受信機。
【請求項４】
受信チャンネルのプリセットによって受信可能な放送局が割り当てられなかったチャンネル番号を、前記ネットアプリケーションのそれぞれに割り当てる請求項１〜３のいずれか１項に記載のテレビ放送受信機。
【発明の詳細な説明】
【技術分野】
【０００１】
本発明は、テレビ放送受信機に関し、特にインターネット経由で各種のサービスを提供するネット機能を有するテレビ放送受信機に関する。なお、テレビ放送受信機には、テレビ受像機のみならず、テレビ受像機とは異なりモニタを有さないＳＴＢ（Set Top Box）等も含まれる。
【背景技術】
【０００２】
近年、テレビ放送受信機には、インターネット経由で各種のサービスを提供するネット機能を有するものがある。ネット機能によって提供されるサービスは、テレビ放送受信機がネットアプリケーションを立ち上げることによって実現することができる。ネット機能を有するテレビ放送受信機は複数のネットアプリケーションに対応しており、ネット機能によって提供されるサービスはネットアプリケーション毎に異なっており、ネットアプリケーション毎に異なる企業によって提供されている。
【先行技術文献】
【特許文献】
【０００３】
【特許文献１】国際公開２００７／０４３４８３号
【発明の概要】
【発明が解決しようとする課題】
【０００４】
従来のネット機能を有するテレビ放送受信機では、ネットアプリケーションを立ち上げる方法として、次のような方法を採用していた。
【０００５】
第１の方法は、テレビ放送受信機に付属するリモートコントロール送信機に特定のネットアプリケーションを立ち上げるための専用キーを設け、ユーザーがその専用キーを操作して特定のネットアプリケーションを立ち上げる方法である。
【０００６】
第２の方法は、各種の操作項目の一覧を表すメニュー画面に、ネットアプリケーションの一覧を表示するネットポータル画面を表示するための選択項目を設け、テレビ放送受信機に付属するリモートコントロール送信機やテレビ放送受信機本体に設けられているメニューキーをユーザーが操作して、メニュー画面を立ち上げ、その次に、テレビ放送受信機に付属するリモートコントロール送信機に設けられている選択キーをユーザーが操作して、ネットポータル画面を表示するための選択項目を選択してネットポータル画面を立ち上げ、最後に、テレビ放送受信機に付属するリモートコントロール送信機に設けられている選択キーをユーザーが操作して、所望のネットアプリケーションを立ち上げる方法である。
【０００７】
第３の方法は、テレビ放送受信機に付属するリモートコントロール送信機にネットポータル画面を表示するための専用キーを設け、ユーザーがその専用キーを操作してネットポータル画面を立ち上げ、その次に、テレビ放送受信機に付属するリモートコントロール送信機に設けられている選択キーをユーザーが操作して、所望のネットアプリケーションを立ち上げる方法である。
【０００８】
上記第１の方法や上記第３の方法では、テレビ放送受信機に付属するリモートコントロール送信機に専用キーを設ける必要があるという問題が生じる。特に、第１の方法では、ネットアプリケーションの数が増えるほど、専用キーの数も増えるので、リモートコントロール送信機側での対応が困難になる。
【０００９】
上記第２の方法では、メニュー画面とネットポータル画面とを経由する必要があり、所望のネットアプリケーションにたどり着くまでの手順が多くて複雑であるという問題が生じる。
【００１０】
なお、特許文献１では、ネットワーク上のコンテンツをチャンネルに割り当て、一定の規則に基づき、一定の取り扱い単位であるチャンネルグループにまとめて取り扱っているが、所望のチャンネルグループを選ぶ必要があり、所望のネットワーク上のコンテンツにたどり着くまでの手順が多くて複雑であるという問題が生じる。
【００１１】
本発明は、上記の状況に鑑み、専用キーを設けることなく所望のネットアプリケーションを容易に選択することができるテレビ放送受信機を提供することを目的とする。
【課題を解決するための手段】
【００１２】
本発明に係るテレビ放送受信機は、「入力対象」及び「受信チャンネル」を設定する制御部と、外部機器が出力する映像ストリームを入力するための入力端子と、テレビ放送信号に対して、前記制御部によって設定されている前記「入力対象」及び前記「受信チャンネル」に応じた選局処理を行う放送受信部とを備え、前記「入力対象」の選択肢として、前記入力端子に対応する選択肢および前記放送受信部に対応する選択肢を含む複数の選択肢を有し、ネットアプリケーションを立ち上げることで、インターネット経由で提供されるサービスを提供することができる映像表示装置であって、前記制御部は、前記ネットアプリケーションのそれぞれを擬似的に前記「入力対象」及び／又は前記「受信チャンネル」の選択肢の一つとして処理し、前記ネットアプリケーションに対応する前記「入力対象」及び／又は前記「受信チャンネル」の選択肢が選択されると、選択された前記「入力対象」及び／又は前記「受信チャンネル」に対応するネットアプリケーションを立ち上げる構成とする。
【００１３】
また、前記「入力対象」の選択肢の一覧をディスプレイに表示させることができることが望ましい。
【００１４】
また、前記ネットアプリケーションに対応する前記「入力対象」の選択肢の並び順を、各ネットアプリケーションの選択頻度に応じて変更することが望ましい。
【００１５】
また、受信チャンネルのプリセットによって受信可能な放送局が割り当てられなかったチャンネル番号を、前記ネットアプリケーションのそれぞれに割り当てるようにするとよい。
【発明の効果】
【００１６】
本発明に係るテレビ放送受信機によると、ネットアプリケーションのそれぞれを擬似的に「入力対象」及び／又は「受信チャンネル」の選択肢の一つとして処理するので、「入力対象」の切替操作や「受信チャンネル」の切替操作と同様の操作でネットアプリケーションを選択する（立ち上げる）ことができる。すなわち、専用キーを設けることなく所望のネットアプリケーションを容易に選択することができる。
【００１７】
本発明の意義ないし効果は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【図面の簡単な説明】
【００１８】
【図１】テレビ放送受信機のブロック図である。
【図２】テレビ放送受信機に付属しているリモートコントロール送信機の正面図である。
【図３】テレビ放送受信機の表示画面例を示す図である。
【発明を実施するための形態】
【００１９】
本発明の実施形態について図面を参照して以下に説明する。
【００２０】
＜第１実施形態＞
図１は、テレビ放送受信機１のブロック図である。テレビ放送受信機１は、インターネット接続機能を有するテレビジョン受像機であって、図１に示す通り、チューナ／デスクランブラ１１、ＤＥＭＵＸ回路１２、ＡＶデコーダ１３、信号処理回路１４、入力切替回路１５、映像処理回路１６、スケーラ１７、複合回路１８、映像出力回路１９、ディスプレイ２０、音声処理回路２１、音声出力回路２２、スピーカ２３、リモートコントロール受光器２４、システムコントローラ２５、メモリ２６、ＯＳＤ［On-Screen Display］表示回路２７、及びインターネット処理回路２８などを備えている。テレビ放送受信機１には、テレビ放送受信機１を遠隔操作するためのリモートコントロール送信機２９が付属している。ユーザーは、リモートコントロール送信機２９を操作することによって、テレビ放送受信機１を遠隔操作することができる。
【００２１】
なお、テレビ放送受信機１は、「入力対象」の選択肢として、「地上デジタル放送」、「衛星デジタル放送」、「ＨＤＭＩ［High Definition Multimedia Interface］１」、「ＨＤＭＩ２」、および「ＨＤＭＩ３」を有している。
【００２２】
チューナ／デスクランブラ１１は、アンテナ等から伝送されてきたテレビ放送信号に対して、現時点で設定されている「入力対象」及び「受信チャンネル」に対応する信号を抽出する処理（選局処理）、ならびに、所定の高周波処理、スクランブル解除処理、および復調処理などを施す。これらの処理により得られた信号は、パケットとしてＤＥＭＵＸ回路１２に送出される。なお、「入力対象」及び「受信チャンネル」については、システムコントローラ２５によって切替可能となっている。
【００２３】
ＤＥＭＵＸ回路１２は、チューナ／デスクランブラ１１から受取ったパケットの復号を行う。ここで当該パケットは、ＤＥＭＵＸ回路１２において、テレビ番組の内容を表すＭＰＥＧデータと付属情報とに分類される。そして、映像ストリームおよび音声ストリームからなるＭＰＥＧデータはＡＶデコーダ１３へ、付属情報はシステムコントローラ２５へ、それぞれ送出される。なお、付属情報は、例えば現在放送中または将来放送される予定のテレビ番組の案内情報や、放送業者からのお知らせ等の情報であり、テレビ番組のコンテンツの情報とともに所定の時間間隔で放送されるものである。
【００２４】
ＡＶデコーダ１３は、ＤＥＭＵＸ回路１２から受取ったＭＰＥＧデータを映像信号と音声信号にデコードし、映像信号および音声信号を、入力切替回路１５へ送出する。
【００２５】
信号処理回路１４は、現時点で設定されている「入力対象」に対応する外部入力信号（映像ストリームおよび音声ストリーム）に基づいて、コンテンツを表す映像信号と音声信号を取得する。信号処理回路１４は、取得した映像信号および音声信号を、入力切替回路１５へ送出する。
【００２６】
入力切替回路１５は、前段側から伝送されてきた映像信号および音声信号のうち、現時点で設定されている「入力対象」に対応するものだけを、後段側の回路に伝送する。
【００２７】
すなわち入力切替回路１５は、「地上デジタル放送」または「衛星デジタル放送」が「入力対象」に設定されているときは、ＡＶデコーダ１３から伝送されてきた映像信号および音声信号を、それぞれ映像処理回路１６および音声処理回路２１へ伝送する。一方、「ＨＤＭＩ１」、「ＨＤＭＩ２」、または「ＨＤＭＩ３」が「入力対象」に設定されているときは、信号処理回路１４から伝送されてきた映像信号および音声信号を、それぞれ映像処理回路１６および音声処理回路２１へ伝送する。
【００２８】
また、映像処理回路１６は、入力切替回路１５から受取った映像信号に対し、各種の処理を施してスケーラ１７に送出する。映像処理回路１６が行う処理には、各種の画質調整の処理（例えば、コントラスト調整、輝度調整、シャープネス調整など）が含まれている。
【００２９】
スケーラ１７は、システムコントローラ２５の指示に応じて、映像処理回路１６から受け取った映像信号をそのまま複合回路１８に送出する、或いは、映像が子画面化されて表示されるようにする処理（子画面化処理）を映像処理回路１６から受け取った映像信号に施し、複合回路１８に送出する。
【００３０】
複合回路１８は、スケーラ１７から映像信号を、ＯＳＤ表示回路２７からＯＳＤ信号を、インターネット処理回路２８からネットコンテンツの映像信号をそれぞれ受取り、これらの信号のうちのいずれか一つを映像出力回路１９に送出する、或いは、これらの信号のうちの少なくとも二つの表示内容を複合させた（重ね合わせた）内容を表す表示信号を生成して映像出力回路１９に送出する。
【００３１】
映像出力回路１９は、受取った表示信号をディスプレイ２０に送出し、当該表示信号の内容がディスプレイ２０に表示されるようにする。なお、ディスプレイ２０は、例えばＣＲＴ［Cathode Ray Tube］や液晶ディスプレイなど、種々のディスプレイが採用され得る。
【００３２】
音声処理回路２１は、入力切替回路１５から受取った音声信号に対し、必要な所定処理を施して音声出力回路２２に送出する。音声出力回路２２は、受取った音声信号をスピーカ２３に送出し、当該音声信号に基づく音声がスピーカ２３から出力されるようにする。
【００３３】
リモートコントロール受光器２４は、リモートコントロール送信機２９から送信される赤外線信号を受信してリモートコントロールコードを含む電気信号に変換し、システムコントローラ２５に伝送する。
【００３４】
システムコントローラ２５は、テレビ放送受信機１に設けられている複数種の操作キー（不図示）やリモートコントロール送信機２９に設けられている複数種の操作キーに対するユーザーの操作に応じて、テレビ放送受信機１の各部を制御する。メモリ２６は、操作キーとリモートコントロールコードとの関係を示すデータテーブルや各種のＯＳＤ表示画面データなどの情報を格納している。また、メモリ２６は、ネットアプリケーションに関する情報も格納している。
【００３５】
ＯＳＤ表示回路２７は、システムコントローラ２５からＯＳＤ表示画面を含むＯＳＤ制御信号を受取り、この制御信号に基づいてＯＳＤ信号を生成し、複合回路１８に送出する。
【００３６】
インターネット処理回路２８は、インターネット３０への接続を行う機能を有し、インターネット３０を通じて所定のサーバからネットコンテンツの提供を受け、このネットコンテンツの映像信号を複合回路１８へ送出し、ネットコンテンツの音声信号を音声出力回路２２へ送出する。
【００３７】
リモートコントロール送信機２９の正面には、図２に示す通り、「電源（POWER）」キー、「入力切替（INPUT）」キー、「チャンネル＋」キー、「チャンネル−」キー、「メニュー（MENU）」キー、各数字キー（「０」〜「９」）、選択キー（「上」、「下」、「右」、「左」、「ENTER」）、「取消（RECALL）」キー、「イグジット（EXIT）」キーなどが設けられる。
【００３８】
「入力切替」キーは、上述した「入力対象」を切替えさせるための操作キーである。「チャンネル＋」キーは、上述した受信チャンネルを昇順に切替えさせるための操作キーであり、「チャンネル−」キーは、受信チャンネルを降順に切替えさせるための操作キーである。「メニュー」キーは、テレビジョン受像機１の動作モードを、通常モードとメニューモードの間で交互に切替えさせるための操作キーである。
【００３９】
次に、テレビ放送受信機１の本発明に関係する動作について説明する。
【００４０】
テレビ放送受信機１やリモートコントロール送信機２９に設けられている「入力切替（INPUT）」キーがユーザーによって押下されると、図３に示す通り、ディスプレイ２０は入力リスト３０を表示する。入力リスト３０には、実際の「入力対象」の選択肢である、「地上デジタル放送」、「衛星デジタル放送」、「ＨＤＭＩ１」、「ＨＤＭＩ２」、および「ＨＤＭＩ３」に加えて、ネットアプリケーションの一覧（本実施形態では、「ネットアプリケーション１」、「ネットアプリケーション２」、「ネットアプリケーション３」とする）も含まれている。入力リスト３０中のカーソル３１は、リモートコントロール送信機２９に設けられている「上」キー、「下」キーをユーザーが押下する方法や、テレビ放送受信機１やリモートコントロール送信機２９に設けられている「入力切替（INPUT）」キーをユーザーが再度押下する方法によって順次移動可能である。
【００４１】
例えば、「ＨＤＭＩ１」にカーソル３１が位置している状態で、リモートコントロール送信機２９に設けられている「ENTER」キーをユーザーが押下すると、「入力対象」が「ＨＤＭＩ１」に設定される。
【００４２】
また、例えば、「ネットアプリケーション１」にカーソル３１が位置している状態で、リモートコントロール送信機２９に設けられている「ENTER」キーをユーザーが押下すると、「ネットアプリケーション１」が立ち上がり、「ネットアプリケーション１」によって提供可能なサービス（コンテンツ）の一覧が表示される。
【００４３】
このように、テレビ放送受信機１のシステムコントローラ２５は、各ネットアプリケーションを擬似的に「入力対象」の選択肢の一つとして処理している。これにより、入力切替と同様の操作でネットアプリケーションを選択することができるので、専用キーを設けることなく所望のネットアプリケーションを容易に選択することができる。
【００４４】
なお、入力リスト３０には、「地上デジタル放送」に代えて、「地上デジタル放送」の各チャンネルを含めてもよい。同様に、入力リスト３０には、「衛星デジタル放送」に代えて、「衛星デジタル放送」の各チャンネルを含めてもよい。
【００４５】
また、入力リスト３０に含まれる各ネットアプリケーションは、メニュー画面による設定などにより、追加や削除が可能であることが望ましい。また、選択頻度の高いネットアプリケーションほど、リストの上方に表示されるようにし、選択頻度の高いネットアプリケーションの選択が容易になるようにしてもよい。この場合、各ネットアプリケーションの選択頻度をメモリ２６に記憶させておき、その記憶内容をシステムコントローラ２５が利用することで、ユーザーが特別な操作をすることなく、選択頻度の高いネットアプリケーションほど、リストの上方に表示されるようにすることができる。
【００４６】
また、入力リスト３０の表示を行わず、例えば、「入力切替（INPUT）」キーがユーザーによって押下される度に、「地上デジタル放送」、「衛星デジタル放送」、「ＨＤＭＩ１」、「ＨＤＭＩ２」、「ＨＤＭＩ３」、「ネットアプリケーション１」、「ネットアプリケーション２」、および「ネットアプリケーション３」を順次切り替えるようにしてもよい。
【００４７】
＜第２実施形態＞
上述した第１実施形態と異なる点について説明し、第１実施形態と同一の点については説明を省略する。
【００４８】
一般的なテレビ放送受信機では、受信チャンネルのプリセットによって、受信可能な放送局にチャンネル番号を割り当てており、受信可能な放送局が割り当てられなかったチャンネル番号は空き番号になっている。
【００４９】
テレビ放送受信機１は、各ネットアプリケーションに、空き番号になっているチャンネル番号を割り当て、その割り当て結果をメモリ２６に記憶させておく。例えば、テレビ放送受信機１で利用可能なネットアプリケーションを、「ネットアプリケーション１」、「ネットアプリケーション２」、「ネットアプリケーション３」の３つとし、空き番号になっているチャンネル番号が「５５５」、「６６６」、「７７７」等である場合、「ネットアプリケーション１」にチャンネル「５５５」を割り当て、「ネットアプリケーション２」にチャンネル「６６６」を割り当て、「ネットアプリケーション３」にチャンネル「７７７」を割り当てるとよい。
【００５０】
そして、リモートコントロール送信機２９に設けられている「数字」キーによるチャンネルの直接入力（直接切替）や、テレビ放送受信機１やリモートコントロール送信機２９に設けられている「チャンネル＋」キー、「チャンネル−」キーによるチャンネル切替によって、受信チャンネルが選択されると、選択されたチャンネルに対応した放送番組の視聴が可能となり、ネットアプリケーションが割り当てられているチャンネルが選択されると、選択されたチャンネルに対応したネットアプリケーションが立ち上がり、その立ち上がったネットアプリケーションによって提供可能なサービス（コンテンツ）の一覧が表示される。
【００５１】
このように、テレビ放送受信機１のシステムコントローラ２５は、各ネットアプリケーションを擬似的に「受信チャンネル」の選択肢の一つとして処理している。これにより、チャンネル切替と同様の操作でネットアプリケーションを選択することができるので、専用キーを設けることなく所望のネットアプリケーションを容易に選択することができる。
【００５２】
なお、本実施形態は、上述した第１実施形態と合わせて実施することも可能である。
【符号の説明】
【００５３】
１  テレビ放送受信機
１１  チューナ／デスクランブラ
１２  ＤＥＭＵＸ回路
１３  ＡＶデコーダ
１４  信号処理回路
１５  入力切替回路
１６  映像処理回路
１７  スケーラ
１８  複合回路
１９  映像出力回路
２０  ディスプレイ
２１  音声処理回路
２２  音声出力回路
２３  スピーカ
２４  リモートコントロール受光器
２５  システムコントローラ
２６  メモリ
２７  ＯＳＤ表示回路
２８  インターネット処理回路
２９  リモートコントロール送信機
３０  入力リスト
３１  カーソル
【図１】
2013132010.tif 000003
【図２】
2013132010.tif 000004
【図３】
2013132010.tif 000005
【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
「入力対象」及び「受信チャンネル」を設定する制御部と、
外部機器が出力する映像ストリームを入力するための入力端子と、
テレビ放送信号に対して、前記制御部によって設定されている前記「入力対象」及び前記「受信チャンネル」に応じた選局処理を行う放送受信部とを備え、
前記「入力対象」の選択肢として、前記入力端子に対応する選択肢および前記放送受信部に対応する選択肢を含む複数の選択肢を有し、
ネットアプリケーションを立ち上げることで、インターネット経由で提供されるサービスを提供することができるテレビ放送受信機であって、
前記制御部は、
前記ネットアプリケーションのそれぞれを擬似的に前記「入力対象」及び／又は前記「受信チャンネル」の選択肢の一つとして処理し、
前記ネットアプリケーションに対応する前記「入力対象」及び／又は前記「受信チャンネル」の選択肢が選択されると、選択された前記「入力対象」及び／又は前記「受信チャンネル」に対応するネットアプリケーションを立ち上げることを特徴とするテレビ放送受信機。
【請求項２】
前記「入力対象」の選択肢の一覧をディスプレイに表示させることができる請求項１に記載のテレビ放送受信機。
【請求項３】
前記ネットアプリケーションに対応する前記「入力対象」の選択肢の並び順を、各ネットアプリケーションの選択頻度に応じて変更する請求項１または請求項２に記載のテレビ放送受信機。
【請求項４】
受信チャンネルのプリセットによって受信可能な放送局が割り当てられなかったチャンネル番号を、前記ネットアプリケーションのそれぞれに割り当てる請求項１〜３のいずれか１項に記載のテレビ放送受信機。
【手続補正２】
【補正対象書類名】明細書
【補正対象項目名】００１２
【補正方法】変更
【補正の内容】
【００１２】
本発明に係るテレビ放送受信機は、「入力対象」及び「受信チャンネル」を設定する制御部と、外部機器が出力する映像ストリームを入力するための入力端子と、テレビ放送信号に対して、前記制御部によって設定されている前記「入力対象」及び前記「受信チャンネル」に応じた選局処理を行う放送受信部とを備え、前記「入力対象」の選択肢として、前記入力端子に対応する選択肢および前記放送受信部に対応する選択肢を含む複数の選択肢を有し、ネットアプリケーションを立ち上げることで、インターネット経由で提供されるサービスを提供することができるテレビ放送受信機であって、前記制御部は、前記ネットアプリケーションのそれぞれを擬似的に前記「入力対象」及び／又は前記「受信チャンネル」の選択肢の一つとして処理し、前記ネットアプリケーションに対応する前記「入力対象」及び／又は前記「受信チャンネル」の選択肢が選択されると、選択された前記「入力対象」及び／又は前記「受信チャンネル」に対応するネットアプリケーションを立ち上げる構成とする。
【手続補正３】
【補正対象書類名】明細書
【補正対象項目名】００３７
【補正方法】変更
【補正の内容】
【００３７】
リモートコントロール送信機２９の正面には、図２に示す通り、「電源（POWER）」キー、「入力切替（INPUT）」キー、「チャンネル（CH）＋」キー、「チャンネル（CH）−」キー、「メニュー（MENU）」キー、各数字キー（「０」〜「９」）、選択キー（「上」、「下」、「右」、「左」、「ENTER」）、「取消（RECALL）」キー、「イグジット（EXIT）」キーなどが設けられる。
【手続補正４】
【補正対象書類名】図面
【補正対象項目名】図２
【補正方法】変更
【補正の内容】
【図２】
2013132010.tif 000006